(57)【要約】【課題】マザーボードに実装するアドオンカードの実装方向を９０度変換するライザカードにおいて、自在なライザカードを組合わせ種類ごとに別個のライザカードとして用意する必要が無く、かつ本体機器のマザーボードやアドオンカードや筐体に対しては従来方式のライザカードと等価で変更を要求しないライザカードを提供する。【解決手段】ライザカード２０を基本素子部２３と付加素子部２１、２２と継手部４０の集合として構成し、ビス４１ナット４２で固定して構成することで、少ない種類の部材を用意（在庫）して組合せることで多様な組合わせ種類のライザカードが自在に迅速に実現（製造）できることになる。【選択図】図５
2012043840.tif 000002
【特許請求の範囲】
【請求項１】
マザーボードに機能拡張するためのアドオンカードの挿し込み方向を本体機器マザーボードのアドオンカード装着用接栓の挿し込み方向に対して９０度変換するライザカードにおいて、
（１）アドオンカード装着用接栓とマザーボードのアドオンカード装着用接栓に挿入される基板端接栓部と連結部とを備えた基本素子部と、
（２）アドオンカード装着用接栓とマザーボード上のアドオンカード装着接栓にフラットケーブルで連結されて挿入される挿し込み基板部と連結部を備えた付加素子部と、
（３）基本素子部と付加素子部の夫々の連結部をビスナットにより連結するための継手部とにより構成されることを特徴とするライザカード。
【請求項２】
前記ライザカードは、
基本素子部と付加素子部を前記アドオンカード装着用接栓の形状種類ごとに独立して選択し自在に組合わせできる請求項１に記載のライザカード。
【請求項３】
前記ライザカードは、
基本素子部と付加素子部がこれら両素子から独立した継手部上に並べてネジ固定されることで両素子部に実装されたアドオンカード用接栓が１枚の基板表面に実装されたの同様に同一レベルになる請求項１に記載のライザカード。
【請求項４】
前記ライザカードは、
付加素子部間並びに付加素子部と基本素子部間にフラットケーブルが通過可能な隙間を設けることで付加素子部の接栓基板部前後を跨いで付加素子部をマザーボードのアドオンカード装着用接栓に結合できる請求項１に記載のライザカード。
【請求項５】
前記ライザカードは、
基本素子部の基板端接栓部を省略して基本素子部実装位置にあるマザーボード上のアドオンカード装着用接栓が如何なる形状であっても装着できる請求項１に記載のライザカード。
【発明の詳細な説明】
【技術分野】
【０００１】
本発明は、例えば通信機器やパーソナルコンピュータのマザーボードにアドオンカードを実装する際のライザカードに関するものである。
【背景技術】
【０００２】
通信機器やパーソナルコンピュータに用いられる電子回路搭載基板は、最終的に目指す構成が異なっても共通して用いられる回路や中央処理装置などの主部要素が搭載されたマザーボードと目指す構成を実現するために目的に応じて選択してマザーボードに追加装着されるアドオンカードとで構成され、アドオンカードはマザーボードに対して垂直に実装する様にマザーボード上にアドオンカードを装着するための装着用接栓を配置した設計が一般的だが、これらの基板が実装される筐体内においてマザーボードに装着したアドオンカードのマザーボードに対して垂直方向の高さ寸法が筐体の同方向寸法と同等或いはそれ以上である場合はアドオンカードをマザーボードに対し垂直に実装することができずアドオンカードをマザーボードに対して並行状に挿し込むための方向変換具であるライザカードを用いてマザーボードにアドオンカードが装着される実装方法が採用される。ライザカードは事務用・家庭用コンピュータでも用いられるが、サーバや産業用・工業用等の高機能なパーソナルコンピュータを寸法制限して構成しなければならない場合に要求されることが顕著である。
【０００３】
ライザカードは略長方形のプリント基板の一辺と同基板面上に１つ以上の接栓とを実装した構造或いはその複数の集合体であって、前記基板の一辺に実装された接栓はマザーボードのアドオンカード装着用接栓に挿し込まれ、前記基板面上に実装された一つ以上の接栓にはアドオンカードがライザカードに垂直に挿し込まれる。基板の一辺に設けられた接栓と基板面上に設けられた接栓とは互い直角に対向して基板に一体化して設けられており両接栓部に含まれる複数の接触子の夫々は１対１に接続されている。
【０００４】
近年の回路技術の進歩によりマザーボードとアドオンカード間の新たな接続仕様が次々に提案され、その方式ごとに新しいアドオンカード装着用の接栓形状が用いられると同時に複数の異なる接栓を実装するライザカードにおいては接栓形状の異なる組合わせごとに異なるライザカードが必要になり、多様なアドオンカードの実装要求のためには多くのライザカードを組合わせ種類ごとに用意しなければならず、ライザカードを多種多様に用意するための経済的な問題やその開発時間の問題が生じている。また、マザーボードの進歩も速く、マザーボードに実装されたアドオンカード装着用接栓の組合わせも同時に変わることが多く、マザーボードの変更に合わせた組合わせのライザカードを用意しなければならない問題が生じている。
【先行技術文献】
【特許文献】
【０００５】
【特許文献１】特許公開２００１−１５９４２
【発明の概要】
【発明が解決しようとする課題】
【０００６】
通信機器やコンピュータの技術の進歩発展は著しく毎日のように新たな要求に応えるアドオンカードが出現し、マザーボードに含まれていない機能はアドオンカードをマザーボードに自在に追加装着できる要求がある。
【０００７】
同時に、技術の進歩はマザーボードとアドオンカード間の接続方式に更に高い性能や利便性を実現するために新たな接続技術を次々に実現し、その度にマザーボードとアドオンカードには新たな形状の接栓が必要になる。筐体内でマザーボードに装着されるアドオンカードの高さ方向の実装寸法が限られる機器では、新たな接栓形状によるアドオンカードのマザーボードへの装着要求が発現する度に異なるライザカードの必要も生じ、複数のアドオンカード装着用接栓を実装したライザカードでは多くの組合せ種類が要求されるため、既存の接栓種類を含めたライザカードの新たな組合せ種類は階乗的に増えるためにライザカードの開発に多大な時間と費用が必要になっている。
【０００８】
更に、
従来のライザカードは異なる種類の接栓を一体化して基板上に配置して実現する場合、接栓相互の位置を入れ替えてもライザカードは新規に別個のものとして開発する必要があり、製造コストに制限があったり希望する構成のライザカードが既存しない場合は希望する構成による機器やパーソナルコンピュータ等の本体機器自体の実現に支障が生じることになるために本体機器の組み立てや保守や性能などに制限が生じることを抱えたまま本質的要求とは異なる接栓種類のアドオンカードを用いたり本質的要求とは異なる実装位置にアドオンカードを実装して本体装置を構成しなければならない不便さがあったり、希望する筐体寸法での機器実現をあきらめる必要も生じた。
【０００９】
更にまた、
ライザカードの製造は大量生産に適したプリント基板工法を用いるために工法に見合った数量の製造を要求されることが多い。このためライザカードの在庫を使用しきらないうちに接栓の組合せ種類が市場要求の変化により陳腐化することもあり、かつ従来のライザカードは他の組合わせ種類への流用が不可能なために、多量のライザカードを廃棄することになる問題があった。これ等の不都合は特に少量多品種に目的に適合した構成で本体装置を実現したい産業用コンピュータにおいては解決すべき大きな課題であった。 
【００１０】
本発明は、上記事情に鑑み、
【００１１】
（１）ライザカードをアドオンカード装着用接栓ごとに素子化し、その集合として構成することで組合わせた接栓構成が変わってもその度に新たなライザカードを開発する必要がなく自在に多用に異なる組合せ種類が構成でき、
【００１２】
また同時に、
（２）ライザカードを共通部品化した素子の集合として構成するためライザカードの構成要素の種類を低減でき、
【００１３】
また更に、
（３）マザーボードやライザカード内の一部の接栓形状やライザカードの接栓の組合わせ種類が変わっても廃棄する必要がなく、
【００１４】
（４）従来方式のライザカードと互換性があってマザーボードやアドオンカードや筐体の側に変更を加えること無く利用できる仕掛けを考案することで、多様な構成のライザカードを迅速に経済的に提供することを目的とする。
【課題を解決するための手段】
【００１５】
上記目的を達成するための本発明のライザカードは、マザーボードに機能を拡張するためのアドオンカードの挿し込み方向をマザーボードのアドオンカード装着用接栓の挿し込み方向に対して９０度変換し、実装されたアドオンカード装着用接栓の組合せ種類ごとに別個に用意する必要が無いライザカードにおいて、
（１）アドオンカード装着用接栓１個とフラットケーブル用接栓１個と基板端に構成された前記マザーボードのアドオンカード装着用接栓へ挿し込む基板端接栓１個とを備えたプリント基板において各接栓の夫々の接触子が基板内で互いに１対１に接続され、そのプリント基板長手方向の両端から基板面内にて９０度の角度で立ち上がった連結部一対が一体に配置されている実装時上方向に開口を持つ略コの字型の基本素子部と
（２）アドオンカード装着用接栓１個とフラットケーブル用接栓１個とを備えたプリント基板において夫々の接触子がプリント基板内で互いに１対１に接続され、そのプリント基板長手方向両端に連結部一対が一体に配置された略長方形の接栓基板部と、前記マザーボードのアドオンカード装着用接栓へ挿し込む基板端接栓１個とフラットケーブル用接栓１個との各接栓の各々の接触子が１対１に接続されて１枚の基板上に配置された挿し込み基板部とが共に対基板用の接栓を両端に装着されたフラットケーブル１本で連結された集合体の付加素子部と、
（３）前記の基本子部と付加素子部夫々の連結部の基板面を同一面上に配置するためにビスナットと共に用いる付加素子部ごとに１対の継手部とを備え、
（４）アドオンカード装着用接栓の形状ごとに独立した素子として構成した基本素子部と付加素子部とは、互いにアドオンカード装着用接栓の形状が異なるものに入れ替えても前記のビスナットと共に用いる継手部により支障なく組立てられライザカードを構成できることを特徴とするものである。
【００１６】
ここで、前記基本素子部は、
（５）フラットケーブル用接栓が実施例によっては実装されないものであってもよく、
【００１７】
（６）アドオンカード装着用接栓が実施例によっては実装されないものであってもよく、
【００１８】
（７）マザーボードに挿し込むための基板端接栓部が実施例によっては設けられないものであってもよい。
【００１９】
また、前記付加素子部は、
（８）基本素子部にビスナットと継ぎ手部により固定されたとき、付加素子部の上下にフラットケーブルが通り抜けられる間隙を形成できる寸法のものであってもよく、
【００２０】
（９）一端が接栓基板部のフラットケーブル用接栓に結合されたその両端に対基板用接栓を装着したフラットケーブルの他端が基本素子部のフラットケーブル用接栓に結合されてもよい。
【００２１】
またさらに、前記付加素子部は、
（１０）一端が接栓基板部のフラットケーブル用接栓に結合されたその両端に対基板用接栓を装着し更に中ほどに対基板用接栓を加えて装着したフラットケーブルの中ほどの対基板用接栓を他の付加素子部の接栓基板部のフラットケーブル用接栓に結合し、他端を基本素子部のフラットケーブル用接栓に結合してもよい。
【００２２】
また更に、前記付加素子部は、
（１１）一端が接栓基板部のフラットケーブル用接栓に結合されたその両端に対基板用接栓を装着し更に中ほどに対基板用接栓を加えて装着したフラットケーブルの中ほどの対基板用接栓を他の付加素子部の接栓基板部のフラットケーブル用接栓に結合し、他端を挿し込み基板部のフラットケーブル用接栓に結合してもよい。
【００２３】
さらにまた、前記基本素子部は、
（１２）連結部に付加素子部をビスナットと継手部で固定するための孔の他に基本素子部を筐体に固定したライザカード装着用ブリッジにスペーサまたは支柱を介してネジ固定するためのネジ孔を設けたものであってもよい。
【発明の効果】
【００２４】
本発明のライザカードでは、基本素子部と付加素子部夫々に必要とされる形状のアドオンカード用接栓を備えた独立した構成品を共通部材として用意でき、互いにアドオンカード装着用接栓の形状が異なるものに入れ替えてもよく継手部は１種類で何れの素子部同士を連結結合する場合でも使用できる共通部材とすることができるので、部材の種類を少なくできると共にこれらの部材を組合せることで自在に多様な組合わせの多くの種類のライザカードを実現できる。例えば、必要とされるソケットの種類がＡ、Ｂの２種類であって、３本のアドオンカードを挿し込むことができるライザカードを構成する場合は、要求される可能性があるライザカードの組合せ種類の総数は、３本のアドオンカードが上段中段下段の順にそれぞれ、ＡＡＡ，ＢＢＢ，ＡＡＢ，ＡＢＡ，ＢＡＡ，ＢＢＡ，ＢＡＢ，ＡＢＢのように配置された、（ソケット種類数＝２）の（挿し込むことができるアドオンカード数＝３）乗の８種類が考えられる。従来型のライザカードの場合は別個にこの８種類の組合せ種類のライザカードを用意する必要があったが、本発明によるライザカードでは基本素子部としてＡ、Ｂ用の２種類、付加素子部としてＡ，Ｂ用の２種類、継手部に１種類、つまり(基本素子部用種類数＝２)と（付加素子部用種類数＝３）と（継手部種類数＝１）の合計５種類の部分を用意することで自在に従来のライザカード８種類と等価なライザカードを実現できる。
【００２５】
ここで更に、
必要な接栓の種類にＣが増えて前記２種類が３種類になった場合を想定すると更に大きな効果が生じる。従来のライザカードでは新たにＣＣＣ，ＡＡＣ，ＡＣＡ，ＣＡＡ，ＡＣＣ，ＣＣＡ，ＣＡＣ，ＢＢＣ，ＢＣＢ，ＣＢＢ，ＣＢＢ，ＢＢＣ，ＢＣＢ，ＡＢＣ，ＢＣＡ，ＣＡＢ，ＣＢＡ，ＢＡＣ，ＡＣＢの１９種類のライザカードの組合せ種類が前記８種類に追加され、（ソケット種類数＝３）の（挿し込むことができるアドオンカード数＝３）の合計２７種類が個別の組合せ種類のライザカードになるが、本発明によるライザカードでは、既存の基本素子部と付加素子部と継手部はそのまま利用することができ、新たに基本素子部と付加素子部のそれぞれにＣ用の各１種類、合計２種類の素子部を用意するのみで、従来式のライザカードの合計２７の組合せ種類に等価なライザカードが実現できる。この場合、継手部は既存のものが共用できる。
【００２６】
以後、同様にソケットの種類が増えた場合でもその都度基本素子部と付加素子部の各々に１種類すなわち合計２種類の素子部を新たに用意することですべての接栓形状の組合わせ種類のライザカードを実現できる。各素子部はさまざまな接栓形状の組合せのライザカードに共通部品化が可能であり従来のライザカードに比べて新たな開発費用が大幅に縮小でき、さらにすべての組合せ種類のライザカードのいずれが要求されても経済的に実現でき、同時に在庫性が大幅に改善されるのでいずれの組合せ種類の要求に対しても迅速に応じることが極めて容易である。
【００２７】
また、本発明のライザカードは
基本素子部と付加素子部の連結に継手部を利用することで両素子部は段差を持たない同一面に配置することができ、各素子部に実装されたアドオンカード装着用接栓は１枚の基板上に実装されたと等価な相互の位置関係を確保できるのでマザーボードやアドオンカードや筐体に何ら加工を加えることなく従来式のライザカードに代えて使用できる。
【００２８】
更にまた、
ライザカードに挿し込むアドオンカードがライザカードに対して裏面側に挿し込まれる必要がある場合でも、これを単に新たな種類の部材として追加することができ、前記の各素子部と組み合わせて背面装着用或いは両面装着用のライザカードをも比較的容易に実現することができる。
【００２９】
更にまた、
現実には前記２種類および３週類の接栓形状より更に多くの接栓形状が存在するため、本発明により少ない種類の部材で共通部品化した部材で自在に多くの組合せ種類のライザカードが実現可能になることで従来はライザカードの新規開発が必要なためにコストや時間的に実現しにくく断念してきた多くのアドオンカードの組合せを容易にマザーボードに組合わせることが可能になり、小型で最適な通信機器やパーソナルコンピュータが実現しやすくなり、少量多品種で高い信頼性や性能が要求される製造装置や検査装置などに用いる産業用コンピュータの実現並びに短納期化に多大な効果がある。
【００３０】
更にまた、
前記フラットケーブル接続接栓は各プリント基板の裏あるいは表何れにも実装可能なものがありフラットケーブルの長さ指定や組み合わせる接栓を指定して少量から製造可能なため各基本部にフラットケーブルが組合されていることにより、プリント基板種類を増やさずにより自在に本体装置の構成に適した組合わせ種類のライザカードを経済的に追加できる。
【００３１】
更にまた、
筐体内でのライザカードの基本素子部の実装位置が限定される場合にマザーボード上のその位置のアドオンカード装着用接栓に適合する基本素子部がない場合にはアドオンカード装着用接栓部を省略した基本素子部を用いることで付加素子部を利用できる。この場合、基本素子部のアドオンカード装着用接栓はマザーボードの基本素子部位置のアドオンカード装着用接栓には電気信号では接続できないが、接続したフラットケーブルで他の位置の接栓に接続できる。また基本部にアドオンカード装着用接栓の実装をしない場合はマザーボード上のアドオンカード装着用接栓の何れの形状にも共用ができる。
【図面の簡単な説明】
【００３２】
【図１】電子回路のマザーボードに従来式のライザカードを介してアドオンカードを実装した例の斜視図である。
【図２】一部が共通信号、一部が個別信号部を持つアドオンカードを複数（３枚）実装    可能な従来方式のライザカードの例の斜視図である。
【図３】共通信号部が無いアドオンカードを複数（３枚）実装可能な従来方式の方向変    換具の例の斜視図である。
【図４】本発明のライザカードの基本的な構成要素を示す分解斜図である。
【図５】共通信号部が無い本発明のライザカードを示す斜視図である。
【図６】共通信号部が無い本発明のライザカードを示す分解斜視図である。
【図７】基本素子部に連結した最上段の付加素子部と独立した中段の付加素子部がアドオンカード装着用に設けられた向変換具の斜視図である。
【図８】アドオンカード装着用接栓３個が共通信号部で接続されたライザカードを示す斜視図である。
【図９】アドオンカード装着用接栓３個が共通信号部で接続されたライザカードを示す分解斜視図である。
【図１０】最上段と中段のアドオンカード装着用接栓２個が共通信号部で接続され最下段のアドオンカード装着用接栓が独立したライザカードを示す斜視図である。
【図１１】最上段と中段のアドオンカード装着用接栓２個が共通信号部で接続され最下段のアドオンカード装着用接栓が独立したライザカードを示す分解斜視図である。
【図１２】基板端接栓が無い基本素子部によるアドオンカード装着用接栓を２個備えたライザカードをライザカード装着用ブリッジに固定した斜視図である。
【図１３】ライザカード装着用ブリッジに固定したライザカードを筐体に装着した斜視透視図である。
【発明を実施するための形態】
【００３３】
本発明は高さ方向寸法が限られた筐体に実装される電子回路のマザーボードとアドオンカードの組合せにおいて、マザーボードにアドオンカードを挿入する場合の基板の挿入方向を変換するライザカードにおいて実現されたものである。
【００３４】
図１から図３は従来式のライザカードの形態を示している。
ライザカード２０上にアドオンカード装着用の雌ソケット２０ｃ、２１ｃ、２２ｃを一体に実装したもので、図１はライザカード２０の基板端接栓並びに基板面上の接栓の全てが共通信号線でバスに接続されている例である。図２および図３に示すようにマザーボードのアドオンカード装着用接栓に挿し込む基板端の雄接栓２０ｂと共通に接続できない信号線を配置した他の接栓２１ｂ、２２ｂを有する派ドルボードと呼ばれる基板２１、２２などがフラットケーブル２１ａ、２２ａや基板間接栓２０ｘ、２０ｙで接続されているものもあるが、いずれにしてもライザカード２０は自身に実装される選択基板実装用接栓２０ｃ、２１ｃ、２２ｃの実装位置条件を含んだ組合せ種類に依存するため、従来式のライザカードはアドオンカード用接栓２５の組合せ種類ごとに別個のものになる。
【実施例１】
【００３５】
図４から図６を参照して本発明の実施例１を説明する。
【００３６】
図４と図６は本発明のライザカードの各要素の分解斜図であり、図４はフラットケーブル用コネクタ部の詳細が示されている。これ等を組み立てると図５になる。
【００３７】
ライザカード２０は基本素子部２３と付加素子部２１、２２と付加素子部あたり１対（２組）の継手部４０と、継手部とともに用いられる継手部あたり夫々４組のビス４１とナット４２で構成される。（図４では付加素子部２２の表示を省略しているが、付加素子部２２は付加素子部２１の２１ａから２１ｋの番号を２２ａから２２ｋにふりかえたものと同じです）
【００３８】
基本素子部２３はコの字を右に９０度倒した略コの字形状のプリント基板の閉塞した下部基板面上にアドオンカード（図１の３０に相当）が挿し込まれる接栓２３ｃが実装され、前記の閉塞部外側基板端にマザーボードのアドオンカード装着用接栓（図１におけるマザーボード１０のアドオンカード装着用接栓１５に相当）に挿し込む基板端接栓部２３ｂが構成され、これら両接栓間のプリント基板面にフラットケーブル用接栓を装着できる実装部２３ｄが構成され、前記接栓部２３ｃと接栓部２３ｂとフラットケーブル用接栓装着用接栓実装部２３ｄの夫々の接触子は１対１に基板上で接続されている。また、基本素子部２３は前記接栓が実装された閉塞部の長手方向両端の略コの字の腕部分に一対の連結部２３ｅ、２３ｆを備えている。連結部２３ｅ、２３ｆには夫々に連結用ビス４１が通るための孔が組合わせる付加素子部の数に相当する組数設けられている。
【００３９】
付加素子部２１は接栓基板部２１ｊと挿し込み基板部２１ｋとフラットケーブル２１ａとからなる。
【００４０】
接栓基板部２１ｊは略長方形横長状のプリント基板で、アドオンカード（図１の３０に相当）が挿し込まれる接栓２１ｃが基板面に実装され、フラットケーブル用接栓２１ｇを装着できる実装部２１ｄが基板面のその近傍に構成され、夫々の接触子が各々１対１に基板上で接続されていて、その基板長手方向両端に連結部２１ｅ、２１ｆがある。接栓基板部２１ｊの連結部２１ｅ、２１ｆには夫々に連結用ビス４１が通るための孔が１組設けられている。
【００４１】
挿し込み基板部２１ｋは略長方形横長状のプリント基板で、その長手方向中央部の一辺に本体機器マザーボード（図１の１０に相当）に挿し込まれる基板端接栓２１ｂとフラットケーブル用接栓２１ｉを装着できる実装部の夫々の接触子が１対１に接続されて１枚の基板上に配置されている。
【００４２】
フラットケーブル２１ａは両端に接栓基板部２１ｊと挿し込み基板部２１ｋの対フラットケーブル接栓に装着できる対基盤用接栓２１ｈが夫々装着されている。
【００４３】
同様に、付加素子部２２は接栓基板部２２ｊと挿し込み基板部２２ｋとフラットケーブル２２ａとからなる。
【００４４】
接栓基板部２２ｊは略長方形横長状のプリント基板で、アドオンカード（図１の３０に相当）が挿し込まれる接栓２２ｃが基板面に実装され、フラットケーブル用接栓２２ｇを装着できる実装部２２ｄが基板面のその近傍に構成され、夫々の接触子が各々１対１に基板上で接続されていて、その基板長手方向両端に連結部２２ｅ、２２ｆがある。接栓基板部２２ｊの連結部２２ｅ、２２ｆには夫々に連結用ビス４１が通るための孔が１組設けられている。
【００４５】
挿し込み基板部２２ｋは略長方形横長状のプリント基板で、その一辺の長手方向中央部に本体機器マザーボード（図１の１０に相当）に挿し込まれる基板端接栓２２ｂとフラットケーブル用接栓２２ｉを装着できる実装部の夫々の接触子が１対１に接続されて１枚の基板上に配置されている。
【００４６】
フラットケーブル２２ａは両端に接栓基板部２２ｊと挿し込み基板部２２ｋの対フラットケーブル接栓に連結できる対基盤用接栓２２ｈが夫々装着されている。
【００４７】
継手部４０は基本素子部２３の連結部２３ｅと付加素子部の連結部２１ｅあるいは２２ｅとを突き合せて基本素子部と付加素子部の基板表面が段違いでなく同一面に並ぶよう、同様に基本素子部２３の連結部２３ｆと付加素子部の連結部２１ｆあるいは２２ｆとを突き合せて同一面に並ぶように、夫々に継手部４０のねじ孔位置を合致させて重ね、穴ごとにビス４１とナット４２を用いて基本素子部２３と付加素子部２１あるいは２２の基板面が同一面に固定できる。
【００４８】
図５の参照では付加素子部２１、２２のフラットケーブル部２１ａ、２２ａと挿し込み基板部の接栓部２１ｂ、２２ｂとが夫々の付加素子部の接栓基板部の下側に設けられた隙間５０ａ，５０ｂを介して基本素子部２３の裏側に配置されることで３枚のアドオンカードをライザカード２０に装着し、夫々が独立してマザーボード上のアドオンカード装着用接栓（例えば図１の１１、１２、１３）に接続できる。
【００４９】
基本素子部２３と付加素子部２１、２２は実装されるアドオンカードを挿し込む接栓２１ｃ、２２ｃ、２３ｃの種類ごとに用意されるが、各接栓種類の基本素子部２３の略コの字開放側の幅と付加素子部２１、２２の長手方向は形状寸法が統一されている。このため付加素子部２１と２２の位置を入れ替えることができ、部材の種類、数量は変化せず、同一材料でも２種類の組合わせ種類を実現することが可能である。
【実施例２】
【００５０】
図７を参照して実施例２を説明する。
【００５１】
図７は本発明のライザカードの実施例２の斜図であり、アドオンカード装着用接栓３個２１ｃ、２２ｃ、２３ｃが夫々マザーボード上の異なるアドオンカード装着用接栓に結合できるライザカードを示している。
【００５２】
本体機器上のマザーボード１０のアドオンカード装着用接栓の位置が限定され、基本素子部２３の実装位置（例えば図１の１２）の手前のマザーボード１０のアドオンカード装着用接栓（例えば図１での１３または１４に相当）に付加素子部２２の接栓基板部２２ｋを連結する必要がある場合の実施例である。ライザカードには上段に付加素子部２１が実装され中段には付加素子部２２が実装されている。付加素子部２１のフラットケーブル２１ａは隙間５０ａを通って付加素子部２２の背後を経由し隙間５０ｂから基本素子部２３の前面にて基本素子部２３に実装された接栓２３ｃに挿し込まれている。また、ライザカード中段に実装された付加素子部２２の挿し込み基板部２２ｋは基本素子部２３の手前の本体機器１０のアドオンカード装着用接栓に連結される。
【実施例３】
【００５３】
図８と図９を参照して実施例３を説明する。
【００５４】
図８と図９は本発明のライザカードの実施例３の斜図であり、図８はアドオンカード装着用接栓３個２１ｃ、２２ｃ、２３ｃが共通信号部でバス状に接続され、マザーボード上の１つのアドオンカード装着用接栓に基本素子部２３の基板端接栓２３ｂを介して結合されるライザカードを示している。図９はその分解した状態を示している。
【００５５】
ライザカード上のアドオンカード装着用接栓２１ｃ、２２ｃ、２３ｃがバス状の共通信号で結ばれ、本体機器上のマザーボード１０のアドオンカード装着用接栓群（例えば図１のアドオンカード装着用接栓１５）の１つに連結される場合の実施例である。本実施例では基本素子部２３のフラットケーブル接続用接栓２３ｇは基本素子部のフラットケーブル用接栓実装部２３ｄに基板背面側で実装されている。基本素子部２３のアドオンカード装着用接栓２３ｃと同じ種類のアドオンカード装着用接栓２１ｃ、２２ｃを持つ付加素子部２１、２２は連結部２１ｅ、２１ｆと２２ｅ、２２ｆと基本素子部の連結部２３ｅ、２３ｆを継手部４０とビス４１ナット４２で固定されて実装されて基本素子部２３に固定されている。また、両端に対基板用接栓２１ｈ、２３ｈが装着され、その中ほどにも対基板用接栓２２ｈが装着されたフラットケーブル２３ａの接栓２１ｈが上段に実装された付加素子部２１のフラットケーブル接続用接栓２１ｇに接続され、フラットケーブル２３ａは隙間５０ａを通り付加素子部２２の背面を経由し、隙間５０ｂを通って接栓２２ｈが中段に実装された付加素子部２２のフラットケーブル接続用接栓２２ｇに接続され、更にフラットケーブル２３ａは隙間５０ｂを再度通って基本素子部２３の背面側に実装されたフラットケーブル用接栓２３ｇに接続されている。この結果、基本素子部２３の下部基板端に設けられた接栓２３ｂとライザカード上の３つのアドオンカード装着用接栓２１ｃ、２２ｃ、２３ｃは互いに１対１に接続される。
【実施例４】
【００５６】
図１０と図１１を参照して実施例４を説明する。
【００５７】
図１０と図１１は本発明のライザカードの実施例４の斜図であり、図１１はアドオンカード装着用接栓２個２１ｃ、２２ｃが共通信号部でバス状に接続され挿し込み基板部２２ｋの基板端接栓２２ｂを介してマザーボード上の１つのアドオンカード装着用接栓に結合され、さらにアドオンカード用装着用接栓２３ｃが前記とは異なるのマザーボード上の１つのアドオンカード装着用接栓に結合されるライザカードを示している。図１２はその分解した状態を示している。
【００５８】
本体機器上のマザーボード１０のアドオンカード装着用接栓の位置が限定され、基本素子部２３の実装位置（例えば図１のアドオンカード装着用接栓１２に相当）の手前のアドオンカード装着用接栓（例えば図１での１３または１４に相当）に付加素子部２１の接栓基板部２１ｋと付加素子部２２の接栓基板部２２ｋとを共通線で連結し基本素子部２３はライザカード実装位置のマザーボード上のアドオンカード装着用接栓に結合した例である。ライザカードには上段に付加素子部２１が実装され中段には付加素子部２２が実装されている。
【００５９】
本実施例では基本素子部２３のフラットケーブル接続用接栓２３ｇは不要である。基本素子部のアドオンカード装着用接栓２３ｃは基本素子部が実装された位置（例えば図１のアドオンカード装着用接栓１２に相当）のマザーボード上のアドオンカード装着用接栓に結合される。
【００６０】
付加素子部のアドオンカード装着用接栓２１ｃ、２２ｃが互いに同じ形状で共通線で夫々を連結できる場合、両端端に対基板用接栓２１ｈ、２２ｈ１が装着され、その中ほどにも対基板用接栓２２ｈが装着されたフラットケーブル２２ａ１の接栓２１ｈが上段に実装された付加素子部２１のフラットケーブル接続用接栓２１ｇに接続され、フラットケーブル２２ａは隙間５０ａを通り付加素子部２２の背面を経由し、隙間５０ｂを通って接栓２２ｈが中段に実装された付加素子部２２のフラットケーブル接続用接栓２２ｇに接続され、更にフラットケーブル２２ａは基本素子部２３の手前側で挿し込み基板部２２ｋに実装されたフラットケーブル用接栓２２ｇ１に結合する。この結果、本実施例では最下段の基本素子部のアドオンカード装着用接栓は本体装置のマザーボードのライザカード実装位置（例えば図１での１２に相当）のアドオンカード装着用接栓連結され、最上段と中段の付加素子部のアドオンカード挿入用接栓は基本素子部２３の手前の実装位置（例えば図１での１３または１４に相当）に接続される。
【実施例５】
【００６１】
図１２と図１３を参照して実施例５を説明する。
【００６２】
図１２と図１３は本発明のライザカードの実施例５の斜図であり、図１２は基本素子部２３’にマザーボードのアドオンカード装着用接栓に挿し込まれる筈の基板端接栓（図４の２３ｂに相当する）が無いライザカードがライザカード装着用ブリッジに装着された状態を示している。図１３は基板端接栓が省略された基本素子部２３’が装着されたライザカード装着用ブリッジが筐体に固定された状態を示している。
【００６３】
例えば極稀にしか使用機会がない形状の接栓がライザカードの固定位置にあたる本体装置上のマザーボードのアドオンカード装着接栓である場合は該当する基本素子部の開発に経済的抵抗が生じるが、最下段へのアドオンカードの実装が必要ない場合は（一般にゴールドフィンガと呼ばれる接触子が並んだ）基板端接栓部を省略した簡易基本素子部２３’を用いることができる。 簡易基本素子部２３’は如何なる接栓の実装も必要なく、この結果、基板配線が無いプリント基板材で構成しても良く、或いは他の実施例で使用した基本素子部の基板端接栓部を切除した物を用いてもよく、また鉄板を材料として基板端接栓が無い基本素子部の形状の物を用いても良い。
【００６４】
簡易基本素子部２３’は基板端接栓部が無いために本体装置上のマザーボードのアドオンカード装着接栓に差し込まない。このため本体装置筐体にライザカード固定橋部を固定し、この橋部に支柱６２ａ、６２ｂ、６２ｃ、６２ｄにより、簡易基本素子部２３’を固定する。
【符号の説明】
【００６５】
１０  本体機器（パーソナルコンピュータや通信機器など）のマザーボード
１１、１２、１３、１４  マザーボード上のアドオンカード装着用接栓
１５  マザーボード上のアドオンカード装着用接栓群
２０  ライザカード
２０ｘ、２０ｙ  基板間接続子
２１  付加素子部（その１）
２１’、２２’  パドルボード
２２  付加素子部（その２）
２１ａ、２２ａ、２３ａ  フラットケーブル
２０ｂ、２１ｂ、２２ｂ、２３ｂ  基板端接栓部（ゴールドフィンガ部）
２０ｃ、２１ｃ、２２ｃ、２３ｃ  ライザカード上のアドオンカード装着用接栓
２１ｄ、２２ｄ、２３ｄ  各素子部のフラットケーブル用接栓実装部
２１ｅ、２２ｅ、２１ｆ、２２ｆ  付加素子部の連結部
２３ｅ、２３ｅ  基本素子部の連結部
２１ｇ、２２ｇ、２３ｇ、２２ｇ１  フラットケーブル用基板側接栓
２１ｈ、２２ｈ、２３ｈ、２２ｈ１  フラットケーブル用対基板用（ケーブル側）接栓
２１ｉ、２２ｉ、２３ｉ  フラットケーブル用挿し込み基板部側接栓
２１ｊ、２２ｊ  付加素子部の接栓基板部
２１ｋ、２２ｋ  付加素子部の挿し込み基板部
２３  基本素子部
２３’  簡易基本素子
２５  ライザカード上のアドオンカード装着用接栓群
３０  アドオンカード群
３１、３２、３３  アドオンカード
４０  継手部
４１  継手部用ビス
４２  継手部用ナット
５０ａ、５０ｂ  付加素子部の接栓基板部の上下の隙間
６０  ライザカード装着用ブリッジ
６１ａ、６１ｂ、６１ｃ  ライザカード装着用ブリッジ対筐体固定孔
６２ａ、６２ｂ、６２ｃ、６２ｄ  ライザカードとライザカード装着用ブリッジ間支柱
７０  本体装置筐体
７１  本体装置背面窓
【図１】
2012043840.tif 000003
【図２】
2012043840.tif 000004
【図３】
2012043840.tif 000005
【図４】
2012043840.tif 000006
【図５】
2012043840.tif 000007
【図６】
2012043840.tif 000008
【図７】
2012043840.tif 000009
【図８】
2012043840.tif 000010
【図９】
2012043840.tif 000011
【図１０】
2012043840.tif 000012
【図１１】
2012043840.tif 000013
【図１２】
2012043840.tif 000014
【図１３】
2012043840.tif 000015
【手続補正書】
【提出日】平成22年8月29日(2010.8.29)
【手続補正１】
【補正対象書類名】明細書
【補正対象項目名】全文
【補正方法】変更
【補正の内容】
【発明の詳細な説明】
【技術分野】
【０００１】
本発明は、例えば通信機器やパーソナルコンピュータのマザーボードにアドオンカードを実装する際のライザカードに関するものである。
【背景技術】
【０００２】
通信機器やパーソナルコンピュータに用いられる電子回路搭載基板は、最終的に目指す構成が異なっても共通して用いられる回路や中央処理装置などの主部要素が搭載されたマザーボードと目指す構成を実現するために目的に応じて選択してマザーボードに追加装着されるアドオンカードとで構成され、アドオンカードはマザーボードに対して垂直に実装する様にマザーボード上にアドオンカードを装着するための装着用接栓を配置した設計が一般的だが、これらの基板が実装される筐体内においてマザーボードに装着したアドオンカードのマザーボードに対して垂直方向の高さ寸法が筐体の同方向寸法と同等或いはそれ以上である場合はアドオンカードをマザーボードに対し垂直に実装することができずアドオンカードをマザーボードに対して並行状に挿し込むための方向変換具であるライザカードを用いてマザーボードにアドオンカードが装着される実装方法が採用される。ライザカードは事務用・家庭用コンピュータでも用いられるが、サーバや産業用・工業用等の高機能なパーソナルコンピュータを寸法制限して構成しなければならない場合に要求されることが顕著である。
【０００３】
ライザカードは略長方形のプリント基板の一辺と同基板面上に１つ以上の接栓とを実装した構造或いはその複数の集合体であって、前記基板の一辺に実装された接栓はマザーボードのアドオンカード装着用接栓に挿し込まれ、前記基板面上に実装された一つ以上の接栓にはアドオンカードがライザカードに垂直に挿し込まれる。基板の一辺に設けられた接栓と基板面上に設けられた接栓とは互い直角に対向して基板に一体化して設けられており両接栓部に含まれる複数の接触子の夫々は１対１に接続されている。
【０００４】
近年の回路技術の進歩によりマザーボードとアドオンカード間の新たな接続仕様が次々に提案され、その方式ごとに新しいアドオンカード装着用の接栓形状が用いられると同時に複数の異なる接栓を実装するライザカードにおいては接栓形状の異なる組合わせごとに異なるライザカードが必要になり、多様なアドオンカードの実装要求のためには多くのライザカードを組合わせ種類ごとに用意しなければならず、ライザカードを多種多様に用意するための経済的な問題やその開発時間の問題が生じている。また、マザーボードの進歩も速く、マザーボードに実装されたアドオンカード装着用接栓の組合わせも同時に変わることが多く、マザーボードの変更に合わせた組合わせのライザカードを用意しなければならない問題が生じている。
【先行技術文献】
【特許文献】
【０００５】
【特許文献１】特許公開２００１−１５９４２
【発明の概要】
【発明が解決しようとする課題】
【０００６】
通信機器やコンピュータの技術の進歩発展は著しく毎日のように新たな要求に応えるアドオンカードが出現し、マザーボードに含まれていない機能はアドオンカードをマザーボードに自在に追加装着できる要求がある。
【０００７】
同時に、技術の進歩はマザーボードとアドオンカード間の接続方式に更に高い性能や利便性を実現するために新たな接続技術を次々に実現し、その度にマザーボードとアドオンカードには新たな形状の接栓が必要になる。筐体内でマザーボードに装着されるアドオンカードの高さ方向の実装寸法が限られる機器では、新たな接栓形状によるアドオンカードのマザーボードへの装着要求が発現する度に異なるライザカードの必要も生じ、複数のアドオンカード装着用接栓を実装したライザカードでは多くの組合せ種類が要求されるため、既存の接栓種類を含めたライザカードの新たな組合せ種類は指数関数的に増えるためにライザカードの開発に多大な時間と費用が必要になっている。
【０００８】
更に、
従来のライザカードは異なる種類の接栓を一体化して基板上に配置して実現する場合、接栓相互の位置を入れ替えてもライザカードは新規に別個のものとして開発する必要があり、製造コストに制限があったり希望する構成のライザカードが既存しない場合は希望する構成による機器やパーソナルコンピュータ等の本体機器自体の実現に支障が生じることになるために本体機器の組み立てや保守や性能などに制限が生じることを抱えたまま本質的要求とは異なる接栓種類のアドオンカードを用いたり本質的要求とは異なる実装位置にアドオンカードを実装して本体装置を構成しなければならない不便さがあったり、希望する筐体寸法での機器実現をあきらめる必要も生じた。
【０００９】
更にまた、
ライザカードの製造は大量生産に適したプリント基板工法を用いるために工法に見合った数量の製造を要求されることが多い。このためライザカードの在庫を使用しきらないうちに接栓の組合せ種類が市場要求の変化により陳腐化することもあり、かつ従来のライザカードは他の組合わせ種類への流用が不可能なために、多量のライザカードを廃棄することになる問題があった。これ等の不都合は特に少量多品種に目的に適合した構成で本体装置を実現したい産業用コンピュータにおいては解決すべき大きな課題であった。 
【００１０】
本発明は、上記事情に鑑み、
【００１１】
（１）ライザカードをアドオンカード装着用接栓ごとに素子化し、その集合として構成することで組合わせた接栓構成が変わってもその度に新たなライザカードを開発する必要がなく自在に多様に異なる組合せ種類が構成でき、
【００１２】
また同時に、
（２）ライザカードを共通部品化した素子の集合として構成するためライザカードの構成要素の種類を低減でき、
【００１３】
また更に、
（３）マザーボードやライザカード内の一部の接栓形状やライザカードの接栓の組合わせ種類が変わっても廃棄する必要がなく、
【００１４】
（４）従来方式のライザカードと互換性があってマザーボードやアドオンカードや筐体の側に変更を加えること無く利用できる仕掛けを考案することで、多様な構成のライザカードを迅速に経済的に提供することを目的とする。
【課題を解決するための手段】
【００１５】
上記目的を達成するための本発明のライザカードは、マザーボードに機能を拡張するためのアドオンカードの挿し込み方向をマザーボードのアドオンカード装着用接栓の挿し込み方向に対して９０度変換するが、実装されたアドオンカード装着用接栓の組合せ種類ごとに別個に用意する必要が無いライザカードにおいて、
（１）アドオンカード装着用接栓１個とフラットケーブル用接栓１個と基板端に構成された前記マザーボードのアドオンカード装着用接栓へ挿し込む基板端接栓１個とを備えたプリント基板において各接栓の夫々の接触子が基板内で互いに１対１に接続され、そのプリント基板長手方向の両端から基板面内にて９０度の角度で立ち上がった連結部一対が一体に配置されている水平に配置したマザーボードへ装着した時上方向に開口を持つ略コの字型の基本素子部と
（２）アドオンカード装着用接栓１個とフラットケーブル用接栓１個とを備えたプリント基板において夫々の接触子がプリント基板内で互いに１対１に接続され、そのプリント基板長手方向両端に連結部一対が一体に配置された略長方形の接栓基板部と、前記マザーボードのアドオンカード装着用接栓へ挿し込む基板端接栓１個とフラットケーブル用接栓１個との各接栓の各々の接触子が１対１に接続されて１枚の基板上に配置された挿し込み基板部とが共に対基板用の接栓を両端に装着されたフラットケーブル１本で連結された集合体の付加素子部と、
（３）前記の基本子部と付加素子部夫々の連結部の基板面を同一面上に配置するためにビスナットと共に用いる付加素子部ごとに１対の継手部とを備え、
（４）アドオンカード装着用接栓の形状ごとに独立した素子として構成した基本素子部と付加素子部とは、互いにアドオンカード装着用接栓の形状が異なるものに入れ替えても前記のビスナットと共に用いる継手部により支障なく組立てられライザカードを構成できることを特徴とするものである。
【００１６】
ここで、前記基本素子部は、
（５）フラットケーブル用接栓が実施例によっては実装されないものであってもよく、
【００１７】
（６）アドオンカード装着用接栓が実施例によっては実装されないものであってもよく、
【００１８】
（７）マザーボードに挿し込むための基板端接栓部が実施例によっては設けられないものであってもよい。
【００１９】
また、前記付加素子部は、
（８）基本素子部にビスナットと継ぎ手部により固定されたとき、付加素子部は隣り合う素子部との間にフラットケーブルが通り抜けられる間隙を形成できる寸法のものであってもよく、
【００２０】
（９）一端が接栓基板部のフラットケーブル用接栓に結合されたその両端に対基板用接栓を装着したフラットケーブルの他端が基本素子部のフラットケーブル用接栓に結合されてもよい。
【００２１】
またさらに、前記付加素子部は、
（１０）一端が接栓基板部のフラットケーブル用接栓に結合されるその両端に対基板用接栓を装着し更に中ほどに対基板用接栓を加えて装着したフラットケーブルの中ほどの対基板用接栓を他の付加素子部の接栓基板部のフラットケーブル用接栓に結合し、他端を基本素子部のフラットケーブル用接栓に結合してもよい。
【００２２】
また更に、前記付加素子部は、
（１１）一端が接栓基板部のフラットケーブル用接栓に結合されるその両端に対基板用接栓を装着し更に中ほどに対基板用接栓を加えて装着したフラットケーブルの中ほどの対基板用接栓を他の付加素子部の接栓基板部のフラットケーブル用接栓に結合し、他端を挿し込み基板部のフラットケーブル用接栓に結合してもよい。
【００２３】
さらにまた、前記基本素子部は、
（１２）連結部に付加素子部をビスナットと継手部で固定するための孔の他に基本素子部を筐体に固定したライザカード装着用ブリッジにスペーサまたは支柱を介してネジ固定するためのネジ孔を設けたものであってもよい。
【発明の効果】
【００２４】
本発明のライザカードでは、基本素子部と付加素子部夫々に必要とされる形状のアドオンカード用接栓を備えた基本素子部並びに付加素子部による構成品を独立したライザカードの共通部材として用意でき、夫々は互いにアドオンカード装着用接栓の形状が異なるものに入れ替えてもよく継手部は１種類で何れの素子部同士を連結結合する場合でも使用できる共通部材とすることができるので、部材の種類を少なくできると共にこれらの部材を組合せることで自在に多様な組合わせの多くの種類のライザカードを実現できる。例えば、必要とされるソケットの種類がＡ、Ｂの２種類であって、３本のアドオンカードを挿し込むことができるライザカードを構成する場合は、要求される可能性があるライザカードの組合せ種類の総数は、３本のアドオンカードが上段中段下段の順にそれぞれ、ＡＡＡ，ＢＢＢ，ＡＡＢ，ＡＢＡ，ＢＡＡ，ＢＢＡ，ＢＡＢ，ＡＢＢのように配置された、（ソケット種類数＝２）が低で（挿し込むことができるアドオンカード数＝３）を指数としたべき乗の値の８種類が考えられる。従来型のライザカードの場合は別個にこの８種類の組合せ種類のライザカードを用意する必要があったが、本発明によるライザカードでは基本素子部としてＡ、Ｂ用の２種類、付加素子部としてＡ，Ｂ用の２種類、継手部に１種類、つまり(基本素子部用種類数＝２)と（付加素子部用種類数＝３）と（継手部種類数＝１）の合計５種類の部分を用意することで自在に従来のライザカード８種類と等価なライザカードを実現できる。
【００２５】
ここで更に、
必要な接栓の種類にＣが増えて前記２種類が３種類になった場合を想定すると更に大きな効果が生じる。従来のライザカードでは新たにＣＣＣ，ＡＡＣ，ＡＣＡ，ＣＡＡ，ＡＣＣ，ＣＣＡ，ＣＡＣ，ＢＢＣ，ＢＣＢ，ＣＢＢ，ＣＢＢ，ＢＢＣ，ＢＣＢ，ＡＢＣ，ＢＣＡ，ＣＡＢ，ＣＢＡ，ＢＡＣ，ＡＣＢの１９種類のライザカードの組合せ種類が前記８種類に追加され、（ソケット種類数＝３）が低で（挿し込むことができるアドオンカード数＝３）を指数としたべき乗の値の合計２７種類が個別の組合せ種類のライザカードになるが、本発明によるライザカードでは、既存の基本素子部と付加素子部と継手部はそのまま利用することができ、新たに基本素子部と付加素子部のそれぞれにＣ用の各１種類、合計２種類の素子部を用意するのみで、従来式のライザカードの合計２７の組合せ種類に等価なライザカードが実現できる。この場合、継手部は前記Ｃが増える前に用意した既存のものが共用できる。
【００２６】
以後、同様にソケットの種類が増えた場合でもその都度基本素子部と付加素子部の各々に１種類すなわち合計２種類の素子部を新たに用意することですべての接栓形状の組合わせ種類のライザカードを実現できる。各素子部はさまざまな接栓形状の組合せのライザカードに共通部品化が可能であり従来のライザカードに比べて新たな開発費用が大幅に縮小でき、さらにすべての組合せ種類のライザカードのいずれが要求されても経済的に実現でき、同時に在庫性が大幅に改善されるのでいずれの組合せ種類の要求に対しても迅速に応じることが極めて容易である。
【００２７】
また、本発明のライザカードは
基本素子部と付加素子部の連結に継手部を利用することで両素子部は段差を持たない同一面に配置することができ、各素子部に実装されたアドオンカード装着用接栓は１枚の基板上に実装されたと等価な相互の位置関係を確保できるのでマザーボードやアドオンカードや筐体に何ら加工を加えることなく従来式のライザカードに代えて使用できる。
【００２８】
更にまた、
ライザカードに挿し込むアドオンカードがライザカードに対して裏面側に挿し込まれる必要がある場合でも、これを単に新たな種類の部材として追加することができ、前記の各素子部と組み合わせて背面装着用或いは両面装着用のライザカードをも比較的容易に実現することができる。
【００２９】
更にまた、
現実には前記２種類および３週類の接栓形状より更に多くの接栓形状が存在するため、本発明により少ない種類の部材で共通部品化した部材で自在に多くの組合せ種類のライザカードが実現可能になることで従来はライザカードの新規開発が必要なためにコストや時間的に実現しにくく断念してきた多くのアドオンカードの組合せを容易にマザーボードに組合わせることが可能になり、小型で最適な通信機器やパーソナルコンピュータが実現し易くなり、少量多品種で高い信頼性や性能が要求され最適なアドオンカード構成が要求される製造装置や検査装置などに用いる産業用コンピュータの最適化や実現並びに短納期化に多大な効果がある。
【００３０】
更にまた、
前記フラットケーブル接続接栓は各プリント基板の裏あるいは表何れにも実装可能なものがありフラットケーブルの長さ指定や組み合わせる接栓を指定して少量から製造可能なため各基本部にフラットケーブルが組合されていることにより、プリント基板種類を増やさずにより自在に本体装置の構成に適した組合わせ種類のライザカードを経済的に追加できる。
【００３１】
更にまた、
本体装置筐体内でのライザカードの基本素子部の実装位置が限定される場合にマザーボード上のその位置のアドオンカード装着用接栓に適合する基本素子部がない場合にはアドオンカード装着用接栓部と基板端接栓部を省略した基本素子部を用いることで希望する付加素子部を都度新たな基本素子部を開発することなく利用できる。この場合、基本素子部のアドオンカード装着用接栓はマザーボードの基本素子部位置のアドオンカード装着用接栓には電気信号では接続できないが、接続したフラットケーブルで他の位置の接栓に接続できる。また基本素子部にアドオンカード装着用接栓の実装をしない場合、この基本素子部はマザーボード上のアドオンカード装着用接栓の何れの形状にも共用ができる。
【図面の簡単な説明】
【００３２】
【図１】電子回路のマザーボードに従来式のライザカードを介してアドオンカードを実装した例の斜視図である。
【図２】一部が共通信号、一部が個別信号部を持つアドオンカードを複数（３枚）実装可能な従来方式のライザカードの例の斜視図である。
【図３】共通信号部が無いアドオンカードを複数（３枚）実装可能な従来方式のライザカードの例の斜視図である。
【図４】本発明のライザカードの基本的な構成要素を示す分解斜図である。
【図５】共通信号部が無い本発明のライザカードを示す斜視図である。
【図６】共通信号部が無い本発明のライザカードを示す分解斜視図である。
【図７】基本素子部に連結した最上段の付加素子部と独立した中段の付加素子部がアドオンカード装着用に設けられたライザカードの斜視図である。
【図８】アドオンカード装着用接栓３個が共通信号部で接続されたライザカードを示す斜視図である。
【図９】アドオンカード装着用接栓３個が共通信号部で接続されたライザカードを示す分解斜視図である。
【図１０】最上段と中段のアドオンカード装着用接栓２個が共通信号部で接続され最下段のアドオンカード装着用接栓が独立したライザカードを示す斜視図である。
【図１１】最上段と中段のアドオンカード装着用接栓２個が共通信号部で接続され最下段のアドオンカード装着用接栓が独立したライザカードを示す分解斜視図である。
【図１２】基板端接栓が無い基本素子部によるアドオンカード装着用接栓を２個備えたライザカードをライザカード装着用ブリッジに固定した斜視図である。
【図１３】ライザカード装着用ブリッジに固定したライザカードを筐体に装着した斜視透視図である。
【発明を実施するための形態】
【００３３】
本発明は高さ方向寸法が限られた筐体に実装される電子回路のマザーボードとアドオンカードの組合せにおいて、マザーボードにアドオンカードを挿入する場合の基板の挿入方向を変換するライザカードにおいて実現されたものである。
【００３４】
図１から図３は従来式のライザカードの形態を示している。
ライザカード２０上にアドオンカード装着用の雌ソケット２０ｃ、２１ｃ、２２ｃを一体に実装したもので、図１はライザカード２０の基板端接栓並びに基板面上の接栓の全てが共通信号線でバスに接続されている例である。図２および図３に示すようにマザーボードのアドオンカード装着用接栓に挿し込む基板端の雄接栓２０ｂと共通に接続できない信号線を配置した他の接栓２１ｂ、２２ｂを有するパドルボードと呼ばれる挿し込み基板部２１、２２などがフラットケーブル２１ａ、２２ａや基板間接栓２０ｘ、２０ｙで接続されているものもあるが、いずれにしてもライザカード２０は自身に実装されるアドオンカード装用接栓２０ｃ、２１ｃ、２２ｃの実装位置条件を含んだ組合せ種類に依存するため、従来式のライザカードはアドオンカード用接栓２５の組合せ種類ごとに別個のものになる。
【実施例１】
【００３５】
図４から図６を参照して本発明の実施例１を説明する。
【００３６】
図４と図６は本発明のライザカード２０の各要素の分解斜図であり、図４はフラットケーブル用コネクタ部の詳細が示されている。これ等を組み立てると図５になる。アドオンカード装着用接栓３個２１ｃ、２２ｃ、２３ｃが夫々マザーボード上の異なるアドオンカード装着用接栓に結合できるライザカード２０を示している。
【００３７】
本実施例はライザカード２０上に実装された各々のアドオンカード装着用接栓が本体マザーボード上の独立したアドオンカード装着用接栓に接続される必要があるライザカードについてのものである。
【００３８】
ライザカード２０は基本素子部２３と付加素子部２１、２２と付加素子部あたり１対（２組）の継手部４０と、継手部とともに用いられる継手部あたり夫々組にしたビス４１とナット４２で構成される。（図４では付加素子部２２の表示を省略しているが、付加素子部２２は付加素子部２１の２１ａから２１ｋの番号を２２ａから２２ｋにふりかえたものと同じです）
【００３９】
基本素子部２３はコの字を右に９０度倒した略コの字形状のプリント基板の閉塞した下部基板面上にアドオンカード（図１の３０に相当）が挿し込まれる接栓２３ｃが実装され、前記の閉塞部外側に張り出した基板端にマザーボードのアドオンカード装着用接栓（図１におけるマザーボード１０のアドオンカード装着用接栓１５に相当）に挿し込む基板端接栓部２３ｂが構成され、これら両接栓間のプリント基板面にフラットケーブル用接栓を装着できる実装部２３ｄが構成され、前記接栓部２３ｃと接栓部２３ｂとフラットケーブル用接栓装着用接栓実装部２３ｄの夫々の接触子は１対１に基板上で接続されている。また、基本素子部２３は前記接栓が実装された閉塞部の長手方向両端の略コの字の腕部分に一対の連結部２３ｅ、２３ｆを備えている。連結部２３ｅ、２３ｆには夫々に連結用ビス４１が通るための孔が組合わせる付加素子部の数に相当する組数設けられている。
【００４０】
付加素子部２１は接栓基板部２１ｊと挿し込み基板部２１ｋとフラットケーブル２１ａとからなる。
【００４１】
接栓基板部２１ｊは略長方形横長状のプリント基板で、アドオンカード（図１の３０に相当）が挿し込まれる接栓２１ｃが基板面に実装され、フラットケーブル用接栓２１ｇを装着できる実装部２１ｄが基板面のその近傍に構成され、夫々の接触子が各々１対１に基板上で接続されていて、その基板長手方向両端に連結部２１ｅ、２１ｆがある。接栓基板部２１ｊの連結部２１ｅ、２１ｆには夫々に連結用ビス４１が通るための孔が１組設けられている。
【００４２】
挿し込み基板部２１ｋは略長方形の長手方向の１辺に長手方向に沿って張り出し部を設けた横長状のプリント基板で、その張り出し部に設けられた本体機器のマザーボード（図１の１０に相当）に挿し込まれる基板端接栓２１ｂとフラットケーブル用接栓２１ｉを装着できる実装部２１ｚ（図４ではフラットケーブル用接栓２１ｉが実装更他状態のため図示されていません）が接栓の夫々の接触子を１対１に接続されて１枚の基板上に配置されている。
【００４３】
フラットケーブル２１ａは両端に接栓基板部２１ｊと挿し込み基板部２１ｋの対フラットケーブル接栓に装着できる対基盤用接栓２１ｈが夫々装着されている。
【００４４】
同様に、付加素子部２２は接栓基板部２２ｊと挿し込み基板部２２ｋとフラットケーブル２２ａとからなる。
【００４５】
接栓基板部２２ｊは略長方形横長状のプリント基板で、アドオンカード（図１の３０に相当）が挿し込まれる接栓２２ｃが基板面に実装され、フラットケーブル用接栓２２ｇを装着できる実装部２２ｄが基板面のその近傍に構成され、夫々の接触子が各々１対１に基板上で接続されていて、その基板長手方向両端に連結部２２ｅ、２２ｆがある。接栓基板部２２ｊの連結部２２ｅ、２２ｆには夫々に連結用ビス４１が通るための孔が１組設けられている。
【００４６】
挿し込み基板部２２ｋは略長方形の長手方向の１辺に長手方向に沿って張り出し部を設けた横長状のプリント基板で、その張り出し部に設けられた本体機器のマザーボード（図１の１０に相当）に挿し込まれる基板端接栓２２ｂとフラットケーブル用接栓２２ｉを装着できる実装部２２ｚが接栓の夫々の接触子を１対１に接続されて１枚の基板上に配置されている。
【００４７】
フラットケーブル２２ａは両端に接栓基板部２２ｊと挿し込み基板部２２ｋの対フラットケーブル接栓に連結できる対基盤用接栓２２ｈが夫々装着されている。
【００４８】
継手部４０は基本素子部２３の連結部２３ｅと付加素子部の連結部２１ｅあるいは２２ｅとを突き合せて基本素子部と付加素子部の基板表面が段違いでなく同一面に並ぶよう、同様に基本素子部２３の連結部２３ｆと付加素子部の連結部２１ｆあるいは２２ｆとを突き合せて同一面に並ぶように、夫々に継手部４０のねじ孔位置を合致させて重ね、穴ごとにビス４１とナット４２を用いて基本素子部２３と付加素子部２１あるいは２２の基板面を同一面に固定した。
【００４９】
図５の参照では付加素子部２１、２２のフラットケーブル部２１ａ、２２ａと挿し込み基板部の接栓部２１ｂ、２２ｂとが夫々の付加素子部の接栓基板部の下側に設けられた隙間５０ａ，５０ｂを介して基本素子部２３の裏側に配置されることで３枚のアドオンカードをライザカード２０に装着し、夫々が独立してマザーボード上のアドオンカード装着用接栓（例えば図１の１１、１２、１３）に接続されている。
【００５０】
基本素子部２３と付加素子部２１、２２は実装されるアドオンカードを挿し込む接栓２１ｃ、２２ｃ、２３ｃの種類ごとに用意されるが、各接栓種類の基本素子部２３の略コの字開放側の幅と付加素子部２１、２２の長手方向は形状寸法が統一されている。このため付加素子部２１と２２の位置を入れ替えることができ、部材の種類、数量は変化せず、同一材料でも２種類の組合わせ種類を実現することが可能である。
【実施例２】
【００５１】
図７を参照して実施例２を説明する。
【００５２】
図７は本発明のライザカードの実施例２の斜図であり、アドオンカード装着用接栓３個中の２個２１ｃ、２２ｃが夫々マザーボード上の異なるアドオンカード装着用接栓に結合できるライザカードを示している。他の１個のアドオンカード装着用接栓２３ｃはアドオンカード装着用接栓２１ｃの中継用として使用されている。
【００５３】
本体機器上のマザーボード（図１の１０に相当）のアドオンカード装着用接栓の位置が限定され、基本素子部２３の実装位置（例えば図１の１２）の手前のマザーボード（図１の１０に相当）のアドオンカード装着用接栓（例えば図１での１３または１４に相当）に付加素子部２２の接栓基板部２２ｋを連結する必要がある場合の実施例である。ライザカードには上段に付加素子部２１が実装され中段には付加素子部２２が実装されている。付加素子部２１のフラットケーブル２１ａは隙間５０ａを通って付加素子部２２の背後を経由し負荷素子部２２と基本素子部２３の間の隙間５０ｂから基本素子部２３の手前側に至り挿し込み基板部２１ｋに連結されて前記挿し込み基板部２１ｋに連結されて基本素子部２３に実装されたアドオンカード装着用接栓２３ｃに挿し込まれている。また、前記中段に実装された付加素子部２２にフラットケーブル２２ａで連結された挿し込み基板部２２ｋは基本素子部２３より手前の本体機器のマザーボード上のアドオンカード装着用接栓（例えば図１の１３または１４）に連結される。
この結果ライザカード２０が装着された位置の本体機器上のマザーボードのアドオンカード装着用接栓はライザカードの上段に、またライザカードより手前の本体装置のアドオンカード装着用接栓をライザカードの中段に連結できる。
【実施例３】
【００５４】
図８と図９を参照して実施例３を説明する。
【００５５】
図８と図９は本発明のライザカード２０の実施例３の斜図であり、図８はアドオンカード装着用接栓３個２１ｃ、２２ｃ、２３ｃが共通信号線群でバス状に接続され、マザーボード上の１つのアドオンカード装着用接栓に基本素子部２３の基板端接栓２３ｂを介して結合されるライザカードを示している。図９はその分解した状態を示している。
【００５６】
ライザカード２０上のアドオンカード装着用接栓２１ｃ、２２ｃ、２３ｃがフラットケーブル２３ａで構成したバス状の共通信号線群で結ばれ、本体機器上のマザーボード（図１の１０に相当）のアドオンカード装着用接栓群（例えば図１のアドオンカード装着用接栓１５）の１つに結合される場合の実施例である。
【００５７】
本実施例では基本素子部２３のフラットケーブル接続用接栓２３ｇは基本素子部のフラットケーブル用接栓実装部２３ｄに基板背面側で実装されている。基本素子部２３のアドオンカード装着用接栓２３ｃと同じ種類のアドオンカード装着用接栓２１ｃ、２２ｃを持つ付加素子部２１、２２は連結部２１ｅ、２１ｆと２２ｅ、２２ｆと基本素子部の連結部２３ｅ、２３ｆを継手部４０とビス４１ナット４２で基本素子部２３に固定されている。また、両端に対基板用接栓２１ｈ、２３ｈが装着され、その中ほどにも対基板用接栓２２ｈが装着されたフラットケーブル２３ａの接栓２１ｈが上段に実装された付加素子部２１のフラットケーブル接続用接栓２１ｇに接続され、フラットケーブル２３ａは隙間５０ａを通り付加素子部２２の背面を経由し、隙間５０ｂを通って接栓２２ｈが中段に実装された付加素子部２２のフラットケーブル接続用接栓２２ｇに接続され、更にフラットケーブル２３ａは隙間５０ｂを再度通って基本素子部２３の背面側に実装されたフラットケーブル用接栓２３ｇに接続されている。この結果、基本素子部２３の下部基板端に設けられた接栓２３ｂとライザカード上の３つのアドオンカード装着用接栓２１ｃ、２２ｃ、２３ｃは互いに１対１に接続されてライザカードの上段と中段と下段とがライザカード２０実装位置の本体マザーボード（図１の１０に相当）の実装位置のアドオンカード装着用接栓に接続されたライザカードを実現できる。
【実施例４】
【００５８】
図１０と図１１を参照して実施例４を説明する。
【００５９】
図１０と図１１は本発明のライザカードの実施例４の斜図であり、アドオンカード装着用接栓３個中の共通信号線群で接続された２個２１ｃ、２２ｃと他の１個２３ｃがマザーボード上の異なる２個のアドオンカード装着用接栓に結合できるライザカード２０を示している。図１１はその分解した状態の斜図である。
【００６０】
本体機器上のマザーボード（図１の１０に相当）のアドオンカード装着用接栓の位置が限定され、基本素子部２３の実装位置（例えば図１のアドオンカード装着用接栓１２に相当）の手前のアドオンカード装着用接栓（例えば図１での１３または１４に相当）に付加素子部２１と付加素子部２２とに連結した挿し込み基板部２１ｋを挿し込み、基本素子部２３はその基板端接栓によりライザカード実装位置のマザーボード上のアドオンカード装着用接栓に挿し込む。ライザカードには上段に付加素子部２１が実装され中段には付加素子部２２が実装されている。
【００６１】
本実施例では基本素子部２３のフラットケーブル接続用接栓２３ｇは不要である。基本素子部のアドオンカード装着用接栓２３ｃは基本素子部が実装された位置（例えば図１のアドオンカード装着用接栓１２に相当）のマザーボード上のアドオンカード装着用接栓に装着される。
【００６２】
付加素子部のアドオンカード装着用接栓２１ｃ、２２ｃが互いに同じ形状で共通信号線群で夫々を連結できる場合、両端に対基板用接栓２１ｈ、２２ｈ１が装着され、その中ほどにも対基板用接栓２２ｈが装着されたフラットケーブル２２ａの接栓２１ｈが上段に実装された付加素子部２１のフラットケーブル接続用接栓２１ｇに接続され、フラットケーブル２２ａは隙間５０ａを通り付加素子部２２の背面を経由し、隙間５０ｂを通って接栓２２ｈが中段に実装された付加素子部２２のフラットケーブル接続用接栓２２ｇに接続され、更にフラットケーブル２２ａは基本素子部２３の手前側で対基板用接栓２２ｈ１が挿し込み基板部２２ｋに実装されたフラットケーブル用接栓２２ｇ１に結合される。この結果、本実施例では最下段の基本素子部のアドオンカード装着用接栓は本体装置のマザーボード（図１の１０に相当）のライザカード実装位置（例えば図１での１２に相当）のアドオンカード装着用接栓連結され、最上段と中段の付加素子部のアドオンカード挿入用接栓は基本素子部２３の手前の実装位置（例えば図１での１３または１４に相当）に接続されたライザカードを実現することができる。
【実施例５】
【００６３】
図１２と図１３を参照して実施例５を説明する。
【００６４】
本実施例は極稀にしか使用機会がない形状または種類のアドオンカード装着用接栓がライザカードの実装位置にある本体装置上のマザーボード（図１の１０に相当）を新規に採用する必要があり、同時にライザカード位置が限定されていて位置を選べない場合は該当する基本素子部の新規開発が必要になるが、その開発には経済的或いは時間的抵抗が存在する可能性があるの緊急救済用基本素子部である簡易基本素子部を使用した実施例である。
【００６５】
図１２と図１３は本発明のライザカードの実施例５の斜図であり、図１２はライザカードがライザカード装着用ブリッジに装着された状態を示している。図１３は基板端接栓が省略された基本素子部２３’が装着されたライザカード装着用ブリッジが筐体に固定された状態を示している。
【００６６】
ライザカード上にはアドオンカード装着用接栓２個２１ｃ、２２ｃが夫々マザーボード（図１の１０に相当）上の異なるアドオンカード装着用接栓（例えば図１２の１１ならびに１４）に結合できるライザカードを示しているが前記２個のアドオンカード装着用接栓接栓２１ｃ、２２ｃは共通信号線群で接続されて本体装置のマザーボード（図１の１０に相当）上の１つのアドオンカード装着用接栓（例えば図１２の１４）に接続されてもよい。
【００６７】
本実施例の図１２では基本素子部２３’にマザーボードのアドオンカード装着用接栓に挿し込まれる基板端接栓（図４の２３ｂに相当する）が無く、ライザカードの下端が本体装置のマザーボード（図１の１０に相当）で保持されないためにライザカードの姿勢が不安定になることを補う必要があるのでライザカード２０をライザカード装着用ブリッジ６０に固定して、該ライザカードブリッジを本体装置筐体に固定することで前記の機構的な不安定さ補った。
【００６８】
例えば極稀にしか使用機会がない形状または種類のアドオンカード装着用接栓がライザカードの実装位置にある本体装置上のマザーボード（図１の１０に相当）を新規に採用する必要があり、同時にライザカード位置が限定されていて位置を選べない場合は該当する基本素子部の新規開発が必要になるが、その開発には経済的或いは時間的抵抗が存在する可能性がある。
【００６９】
本実施例は最下段へのアドオンカードの装着が不要な場合に実施可能で、基板端接栓部を省略した簡易基本素子部２３’を用いることで新規の基本素子部の開発を割けることを可能にした。簡易基本素子部２３’は如何なる接栓の実装も必要ないために基板配線が無いプリント基板材で構成しても良く、或いは他の実施例で使用した既に開発済みの基本素子部の基板端接栓部を切除して用いてもよく、また鉄板など機構的に強度を満たすプリント基板以外を用いて基板端接栓（通称はゴールドフィンガーと呼ばれる）が無い基本素子部の形状の物を用いても良い。
【００７０】
簡易基本素子部２３’には自身をライザカード装着用ブリッジ６０に固定するための孔を設けてネジ止め支柱６２ａ、６２ｂ、６２ｃ、６２ｄで自身とライザカード装着用ブリッジ６０を一体化した。更にライザカード装着用ブリッジ６０に設けた例えば筐体固定用孔６１ａ、６１ｂ、６１ｃを用いてライザカード装着用ブリッジを本体装置筐体７０にネジ固定することで前記の緊急救済用基本素子部である簡易基本素子部を使用したライザカードを実現した。
【符号の説明】
【００７１】
１０  本体機器（パーソナルコンピュータや通信機器など）のマザーボード
１１、１２、１３、１４  マザーボード上のアドオンカード装着用接栓
１５  マザーボード上のアドオンカード装着用接栓群
２０  ライザカード
２０ｘ、２０ｙ  基板間接続子
２１  付加素子部（その１）
２１’、２２’  パドルボード
２２  付加素子部（その２）
２１ａ、２２ａ、２３ａ  フラットケーブル
２０ｂ、２１ｂ、２２ｂ、２３ｂ  基板端接栓部（ゴールドフィンガ部）
２０ｃ、２１ｃ、２２ｃ、２３ｃ  ライザカード上のアドオンカード装着用接栓
２１ｄ、２２ｄ、２３ｄ、２１ｚ、２２ｚ  各素子部のフラットケーブル用基板側接栓実装部
２１ｅ、２２ｅ、２１ｆ、２２ｆ  付加素子部の連結部
２３ｅ、２３ｅ  基本素子部の連結部
２１ｇ、２２ｇ、２３ｇ、２２ｇ１  フラットケーブル用基板側接栓
２１ｈ、２２ｈ、２３ｈ、２２ｈ１  フラットケーブル用対基板用（ケーブル側）接栓
２１ｉ、２２ｉ、２３ｉ  フラットケーブル用挿し込み基板部側接栓
２１ｊ、２２ｊ  付加素子部の接栓基板部
２１ｋ、２２ｋ  付加素子部の挿し込み基板部
２３  基本素子部
２３’  簡易基本素子
２５  ライザカード上のアドオンカード装着用接栓群
３０  アドオンカード群
３１、３２、３３  アドオンカード
４０  継手部
４１  継手部用ビス
４２  継手部用ナット
５０ａ、５０ｂ  付加素子部の接栓基板部の上下の隙間
６０  ライザカード装着用ブリッジ
６１ａ、６１ｂ、６１ｃ  ライザカード装着用ブリッジ対筐体固定孔
６２ａ、６２ｂ、６２ｃ、６２ｄ  ライザカードとライザカード装着用ブリッジ間支柱
７０  本体装置筐体
７１  本体装置背面窓
【手続補正２】
【補正対象書類名】特許請求の範囲
【補正対象項目名】請求項３
【補正方法】変更
【補正の内容】
【請求項３】
前記ライザカードは、
基本素子部と付加素子部がこれら両素子から独立した継手部上に並べてネジ固定されることで両素子部に実装されたアドオンカード用接栓が１枚の基板表面に実装されたのと同様に同一レベルになる請求項１に記載のライザカード。
【手続補正３】
【補正対象書類名】図面
【補正対象項目名】図８
【補正方法】変更
【補正の内容】
【図８】
2012043840.tif 000016